(57)【要約】      （修正有）【課題】  綴り込む書類の厚さに対応する背表紙幅を容易に得られ、従って、取扱い上好適な、紙葉バインダーを提供する。【解決手段】  並設した折り目線４，…に沿って折り曲げることによって背表紙幅を変えられるようにした背表紙３を、表裏表紙１に連設し、裏表紙５には前記背表紙３の先端３´´側を嵌挿する受入部６を設け、前記表表紙１に設けた綴じ込み用フラップ２に、前記裏表紙５に設けた綴じ込み用フラップ８を通じて押え片１０を貫通させて摺動子１１で固定する綴り紐７の基部を取付けてある。そして、前記背表紙３の前記折り目線４，…で区画して背表紙基部から先端方向に並んだ各背表紙部分３ａ，…に該背表紙部分同士を互いに識別する背表紙側識別表示１２を添設し、この背表紙側識別表示１２に対応する綴り紐側識別表示１３を添説した、前記各背表紙部分３ａ，…に対応する各綴り紐部分７ａ，…を前記綴り紐７に基端から先端方向に並設する。【選択図】図１
2006168309.tif 000002
【特許請求の範囲】
【請求項１】
並設した折り目線に沿って折り曲げることによって背表紙幅を変えられるようにした背表紙を、表裏表紙の一方の表紙に連設し、他方の表紙には前記背表紙の先端側を嵌挿する受入部を設け、前記一方の表紙に設けた綴じ込み用フラップに、前記他方の表紙に設けた綴じ込み用フラップを通じて押え片を貫通させて摺動子で固定する綴り紐の基部を取付けて成り、前記背表紙の前記折り目線で区画して背表紙基部から先端方向に並んだ各背表紙部分に該背表紙部分同士を互いに識別する背表紙側識別表示を添設し、この背表紙側識別表示に対応する綴り紐側識別表示を添説した、前記各背表紙部分に対応する各綴り紐部分を前記綴り紐に基端から先端方向に並設し、互いに対応する前記背表紙部分と前記綴り紐部分を互いに同幅にし、かつ、背表紙部分を背表紙基部を、また、綴り紐部分を綴り紐基部をそれぞれ基準として互いに同配列順位置に配した、紙葉バインダー。
【発明の詳細な説明】
【技術分野】
【０００１】
本発明は、書類の保管に際し、該書類を綴じ込んで用い、書類の増減に対応して背表紙幅を変えられるようにした紙葉バインダーに関するものである。
【背景技術】
【０００２】
背表紙に折り目線を並設し、該折り目線に沿って背表紙を折り曲げることによって背表紙幅を変えられるようにした背表紙を、表裏表紙の一方の表紙に連設し、他方の表紙には前記背表紙の先端側を嵌挿する受入部を設け、前記一方の表紙に設けた綴じ込み用フラップに、前記他方の表紙に設けた綴じ込み用フラップを通じて押え片を貫通させて摺動子で固定する綴り紐の基部を取付けた紙葉バインダーは公知である（例えば、特許文献１）。
【０００３】
【特許文献１】特開平１１−２２３７４号公報
【発明の開示】
【発明が解決しようとする課題】
【０００４】
前記従来のものは、背表紙を任意の折れ目線に沿って折ることにより書類の増減に応じて背表紙幅を変えられる構造になってはいるが、綴り紐に組付けた状態（綴り紐を貫通させた状態）の書類の厚さ（積層厚さ）に対応させて背表紙を適宜の折り目線で折る際、厚さに対応する折目線を感覚的に（直感で）選択せざるを得ないため、書類の厚さに見合う折り目線を必ずしも選択できるとは限らず、選択作業が煩雑でもある。
【０００５】
本発明は、斯様な従来例の欠点を回避し、綴り込む書類の厚さに対応する背表紙幅を容易に得られ、従って、取扱い上好適な紙葉バインダーを提供すべく創案したものである。
【課題を解決するための手段】
【０００６】
並設した折り目線に沿って折り曲げることによって背表紙幅を変えられるようにした背表紙を、表示表紙の一方の表紙に連設し、他方の表紙には前記背表紙の先端側を嵌挿する受入部を設け、前記一方の表紙に設けた綴じ込み用フラップに、前記他方の表紙に設けた綴じ込み用フラップを通じて押え片を貫通させて摺動子で固定する綴り紐の基部を取付けて成り、前記背表紙の前記折り目線で区画して背表紙基部から先端方向に並んだ各背表紙部分に該背表紙部分同士を互いに識別する背表紙側識別表示を添設し、この背表紙側識別表示に対応する綴り紐側識別表示を添説した、前記各背表紙部分に対応する各綴り紐部分を前記綴り紐に基端から先端方向に並設し、互いに対応する前記背表紙部分と前記綴り紐部分を互いに同幅にし、かつ、背表紙部分を背表紙基部を、また、綴り紐部分を綴り紐基部をそれぞれ基準として互いに同配列順位置に配した構成とする。
【発明の効果】
【０００７】
本発明によれば綴り紐に重ね合わせて綴った状態の書類の端のものと一致する位置に存する特定の綴り紐部分の綴り紐側識別表示と対応する背表紙側識別表示を選択して該識別表示が施された背表紙部分を区画する折り目線を折り曲げることによって綴り込む当該書類の厚さに見合う背表紙幅を簡単に得ることができ、背表紙幅を変えることのできる紙葉バインダーとして綴り込み操作を簡単に行える製品を提供できる。
【実施例】
【０００８】
図面は、本発明に係る紙葉バインダーの一実施例を示し、図１は表裏の表紙を開放した状態の一部欠截平面図、図２は図１の一部拡大図、図３は拡大断面図である。
【０００９】
実施例の紙葉バインダーＡは、表表紙１の一側に綴じ込み用フラップ２を介して背表紙３を連設し、該背表紙３に設けた折り目線４，…の適宜のものに沿って背表紙幅を決めるようにすると共に、背表紙３の先端側を裏表紙５に設けた袋状の受入部６に嵌挿するようにして各表紙１，３，５を互いに組合わせ、表表紙１側の前記綴じ込み用フラップ２に綴り具の、一対の綴り紐７の基部を取付け、該綴り紐７の先端を前記裏表紙５側の綴じ込み用フラップ８を通じて該フラップ８に重ね合わせた、前記綴り具の押え片１０（本体）に貫通させて、押え片１０に摺嵌させた摺動子１１によってこれを固定（挟持）するようにして、前記綴り紐７を貫通させてフラップ２，８間に配した書類ａを綴るようにしたものである。
【００１０】
実施例の折り目線４は、厚紙で成る前記背表表紙３の基端３´から等間隔を存して先端３´´方向に順次並設し（プレス成形し）、該折り目線４で区画される背表紙部分３ａ，…には、各背表紙部分３ａ，３ａ，…同士を互いに識別する背表紙側識別表示１２（実施例では印刷手段により）を設けてある。
【００１１】
折り目線４を設けて区画した前記背表紙部３ａ，…は互いに同幅（書類ａの綴り込み方向乃至背表紙３の基端３´から先端３´´方向に）としてあるが、同幅でなくとも差し支えがない。また，背表紙部分３ａには、背表紙３の基端３´側の背表紙部分３ａを基準として先端３´´方向に数が順次増える算用数字によって背表紙側識別表示１２としてあるが、該表示は、他の文字や色彩、模様等々他との関係で識別し得るものであれば手段は問わない。
【００１２】
前記綴り紐（綴じ脚）７は断面扁平の合成樹脂体で構成し、その表面には区画線４Ａを表示して前記綴じ込み用フラップ８側の基端７´から先端７´´方向に、背表紙３の前記各背表紙部分３ａに対応する綴り紐部分７ａ，…を並べて設け、各綴り紐部分７ａ，…（背表紙部分３ａ側と同様に互いに同幅とした）には対応する前記各背表紙部分３ａ，…に設けた前記背表紙側識別表示１２に対応し、各綴り紐部分７ａ，…同士を互いに識別する綴り紐側識別表示１３（実施例では前記区画線４Ａと同様に刻設状にして着色してある）を設けてある。
【００１３】
綴り紐側識別表示１３は、算用数字で成る背表紙側識別表示１２と同様に算用数字で成り、綴り紐７の基端７´側の綴り紐部分７ａを基準として数が順次増えるようにして背表紙部分３ａのものと対応一致させてある（つまり、綴り紐７の基端７´を基準として第３番目の綴り紐部分７ａの綴り紐側識別表示は算用数字「３」であるが、背表紙３側の基端３´を基準として第３番目の背表紙部分３ａの背表紙側識別表示は同様に算用数字「３」と成り、基準となる基端７´，３´からの離開幅は互いに同幅となる）。
【００１４】
綴り紐７の綴り紐部分７ａの幅は、背表紙部分３ａ，…と同様に互いに同幅である必要はなく、要は、対応する綴り紐部分７ａと背表紙部３ａが互いに同幅で同じ配列位置にあれば良く、綴り紐７側の識別表示と背表紙側の識別表示は実施例のように「３」と「３」、「１」と「１」のように互いに一致していなくとも良く、綴り紐部分７ａ側の識別表示が背表紙部分（当該綴り紐部分に対応する）側の特定の識別表示に対応するものと認識し得る規準のある識別表示であれば良いのである。
【００１５】
しかして、図３において、実線で示した綴り紐７に２点鎖線で示した書類ａを組付けた状態（書類ａに設けた透孔を通じて綴り紐７を貫通させた状態）を示しているが、この状態時に、書類ａの厚さは、数字「５」を識別表示とした綴り紐部分７ａにあり、この識別表示に対応する識別表示（数字「５」と表示した）を設けた背表紙部分７ａの区画線４Ａに対応する折り目線４部分に沿って背表紙３に折り目（谷方向）を入れ、該背表紙３の先端３´´側を当該折り目を入れた部分まで裏表紙５の受入部６内に嵌挿し、次いで前記折り目において背表紙を折曲して裏表紙５側のフラップ８を前記紙葉ａ上に重ね合わせるようにして綴り紐７の先端７´´側を該フラップ８の透孔を通じて、フラップ８に重ね合わせた押え片１０の透孔に貫通させて押え片１０上に重ね合わせ、摺動子１１を移動させることによって紙葉ａの綴り込み操作を終了するのである（図３において２点鎖線で示すフラップ２，８を起立させて紙葉ａを挟んだ状態となる）。
【図面の簡単な説明】
【００１６】
【図１】表裏の表紙を開放した状態の一部欠截平面図。
【図２】図１の一部拡大図。
【図３】拡大断面図。
【符号の説明】
【００１７】
１      表表紙
２      綴じ込み用フラップ
３      背表紙
３ａ    背表紙部分
４      折り目線
５      裏表紙
６      受入部
７      綴り紐
７ａ    綴り紐部分
８      綴じ込み用フラップ
１０    押え片
１１    摺動子
１２    背表紙側識別表示
１３    綴り紐側識別表示
【図１】
2006168309.tif 000003
【図２】
2006168309.tif 000004
【図３】
2006168309.tif 000005
【手続補正書】
【提出日】平成16年12月28日(2004.12.28)
【手続補正１】
【補正対象書類名】特許請求の範囲
【補正対象項目名】全文
【補正方法】変更
【補正の内容】
【特許請求の範囲】
【請求項１】
並設した折り目線に沿って折り曲げることによって背表紙幅を変えられるようにした背表紙を、表裏表紙の一方の表紙に連設し、他方の表紙には前記背表紙の先端側を嵌挿する受入部を設け、前記一方の表紙に設けた綴じ込み用フラップに、前記他方の表紙に設けた綴じ込み用フラップを通じて押え片を貫通させて摺動子で固定する綴り紐の基部を取付けて成り、前記背表紙の前記折り目線で区画して背表紙基部から先端方向に並んだ各背表紙部分に該背表紙部分同士を互いに識別する背表紙側識別表示を添設し、この背表紙側識別表示に対応する綴り紐側識別表示を添設した、前記各背表紙部分に対応する各綴り紐部分を前記綴り紐に基端から先端方向に並設し、互いに対応する前記背表紙部分と前記綴り紐部分を互いに同幅にし、かつ、背表紙部分を背表紙基部を、また、綴り紐部分を綴り紐基部をそれぞれ基準として互いに同配列順位置に配した、紙葉バインダー。
【手続補正２】
【補正対象書類名】明細書
【補正対象項目名】０００６
【補正方法】変更
【補正の内容】
【０００６】
並設した折り目線に沿って折り曲げることによって背表紙幅を変えられるようにした背表紙を、表示表紙の一方の表紙に連設し、他方の表紙には前記背表紙の先端側を嵌挿する受入部を設け、前記一方の表紙に設けた綴じ込み用フラップに、前記他方の表紙に設けた綴じ込み用フラップを通じて押え片を貫通させて摺動子で固定する綴り紐の基部を取付けて成り、前記背表紙の前記折り目線で区画して背表紙基部から先端方向に並んだ各背表紙部分に該背表紙部分同士を互いに識別する背表紙側識別表示を添設し、この背表紙側識別表示に対応する綴り紐側識別表示を添設した、前記各背表紙部分に対応する各綴り紐部分を前記綴り紐に基端から先端方向に並設し、互いに対応する前記背表紙部分と前記綴り紐部分を互いに同幅にし、かつ、背表紙部分を背表紙基部を、また、綴り紐部分を綴り紐基部をそれぞれ基準として互いに同配列順位置に配した構成とする。